(57)【特許請求の範囲】
【請求項１】
時計用のトリップ防止式ヒゲゼンマイであって、第１の端部（３）と第２の端部（４）との間を巻いた少なくとも１つのストランド（２）を備え、少なくとも２対（５０）の巻きであって、各々の対が互いにじかに隣接する第１の巻き（５１）および第２の巻き（５２）で形成される２対の巻きを備え、前記第１の巻きが停止手段（１１）、前記第２の巻きが補足的停止手段（１２）をそれぞれ備え、前記停止手段は、５点型に互い違いに配置され、前記ヒゲゼンマイ（１）が収縮または伸張する際に所望の値を上回って加速する場合に、前記停止手段（１１）が前記補足的停止手段（１２）と当接して協働することによって前記第１の巻き（５１）および前記第２の巻き（５２）が局所的に接合する間、前記手段が共に、各々の前記対（５０）に対して、それぞれの最大角度移動範囲（ＣＡ）を決定し、前記ヒゲゼンマイ（１）の有効な巻き数を制限する、ヒゲゼンマイにおいて、
少なくとも２つの前記巻きの対（５０）において、前記停止手段（１１）および前記補足的停止手段（１２）はそれぞれ、異なる最大角度移動範囲の値（ＣＡ）を決定するように構成されて、前記ヒゲゼンマイ（１）が前記所望の値を上回って角度をなしてまたは径方向に加速している間、前記ヒゲゼンマイ（１）の前記第１の端部（３）と第２の端部（４）との間の回転振幅を徐々に制限し、前記対（５０）のうちの一方の前記停止手段（１１）および前記補足的停止手段（１２）が前記もう一方の対よりも先に当接して協働するようにし、これによって、前記ヒゲゼンマイのいくつかの前記巻き（５）を連続的に作動停止にするまたは作動再開させることによって、生じる前記ヒゲゼンマイ（１）の剛性を徐々に修正することを特徴とする、
ヒゲゼンマイ（１）。
【請求項２】
各々の前記対（５０）において、前記停止手段（１１）は、２つの制限用停止部材（１３、１４）を有し、前記部材の軌道は、前記補足的停止手段（１２）に備わる少なくとも１つの補足的制限用停止部材（１５）と妨害し合って、前記第１の巻き（５１）の前記第２の巻き（５２）に対する前記角度移動範囲（ＣＡ）を制限する間隔を決定し、前記少なくとも１つの補足的制限用停止部材（１５）が前記２つの制限用停止部材（１３、１４）のうちの１つと当接している際に、前記ヒゲゼンマイ（１）の有効な巻き数を制限することを特徴とする、請求項１に記載の時計のヒゲゼンマイ（１）。
【請求項３】
前記第１の巻き（５１）または前記第２の巻き（５２）はそれぞれ、前記第１の巻き（５１）の前記第２の巻き（５２）に対する径方向の動きを制限する少なくとも１つの径方向停止部材（６）を有することを特徴とする、請求項２に記載の時計のヒゲゼンマイ（１）。
【請求項４】
前記少なくとも１つの径方向停止部材（６）は、摩擦面（６１）を有し、該摩擦面は、前記第２の巻き（５２）または前記第１の巻き（５１）にそれぞれ備わる補足的摩擦面（６２）と協働するように構成されることを特徴とする、請求項３に記載の時計のヒゲゼンマイ（１）。
【請求項５】
前記停止手段（１１）または前記補足的停止手段（１２）は、前記少なくとも１つの径方向停止部材（６）を有することを特徴とする、請求項３に記載の時計のヒゲゼンマイ（１）。
【請求項６】
請求項１に記載の少なくとも１つのヒゲゼンマイ（１）を備え、軸（Ｄ）周りに回転するテンプ（７）を備え、該テンプに前記ヒゲゼンマイ（１）の前記第１の端部（３）または第２の端部（４）が留められる、時計のゼンマイ式テンプであって、前記テンプ（７）の回転振幅は、３６０°未満であることを特徴とする、時計のゼンマイ式テンプ（１０）。
【請求項７】
請求項６に記載の前記ゼンマイ式テンプ（１０）および前記ヒゲゼンマイ（１）の前記端部（３；４）のうちの一方を留めるヒゲ持ち（９）を担持するプレート（８）を備える、時計のムーブメント（２０）。
【請求項８】
請求項７に記載の少なくとも１つのムーブメント（２０）、および／または請求項６に記載の少なくとも１つのゼンマイ式テンプ（１０）を有する、時計（３０）。
【発明の詳細な説明】
【技術分野】
【０００１】
本発明は、時計用のトリップ防止式ヒゲゼンマイであって、第１の端部と第２の端部との間を巻いた少なくとも１つのストランドを備え、少なくとも２対の巻きであって、各々の対が互いにじかに隣接する第１の巻きおよび第２の巻きで形成される２対の巻きを備え、第１の巻きは停止手段、第２の巻きは補足的停止手段をそれぞれ備え、両手段は、５点型に互い違いに配置され、前記ヒゲゼンマイが収縮または伸張する際に所望の値を上回って加速する場合に、前記停止手段が前記補足的停止手段と当接して協働することによって前記第１の巻きおよび前記第２の巻きが局所的に接合する間、同手段が共に、各々の前記対に対して、それぞれの最大角度移動範囲を決定し、前記ヒゲゼンマイの有効な巻き数を制限する、ヒゲゼンマイに関する。
【０００２】
本発明は、少なくとも１つのこの種のヒゲゼンマイを備え、軸周りに回転するテンプを備え、このテンプに前記ヒゲゼンマイの前記第１の端部または第２の端部が固定される、時計のゼンマイ式テンプにも関する。
【０００３】
本発明は、少なくとも１つのこの種のゼンマイ式テンプ、および前記ヒゲゼンマイの端部の一方を留めるヒゲ持ちを担持するプレートを有する時計のムーブメントにも関する。
【０００４】
本発明は、少なくとも１つのこの種のムーブメント、および／または少なくとも１つのこの種のゼンマイ式テンプを有する時計にも関する。
【０００５】
本発明は、時計機構の分野に関し、さらに詳細には、腕時計用の調節部材に関する。
【背景技術】
【０００６】
機械式腕時計では、調節部材、特に脱進機は、いくつかの「安全性」基準を満たさなければならない。この安全用装置のうちの１つであるトリップ防止装置は、正常な回転角を超えてテンプが角度をなして伸張するのを防止するように設計されている。
【０００７】
技術的課題は、特に衝撃がとりわけデテント脱進機に対して起きた場合に、加速が過剰になっている間にテンプの回転角度を制限する安全機構、特にトリップ防止装置を考案することである。このトリップ防止機構は、テンプの両回転方向に、すなわちヒゲゼンマイの伸張時と収縮時の両方で作用できるものでなければならない。
【０００８】
１つの解決策は、連続する巻きの突起部が当接して協働することで、ヒゲゼンマイの立体形状を変化させて、いくつかの巻きを無効にし、これによってヒゲゼンマイの剛性および衝撃に対する応答を修正するというものである。両回転方向へのテンプの角度移動範囲を制限することができるこの種の機構は、Ｍｏｎｔｒｅｓ  Ｂｒｅｇｕｅｔ  ＳＡの名で出願された欧州特許第２４３４３５３Ａ１号で知られており、この文献には、連続する巻きに属するノッチがヒゲゼンマイの収縮時と伸張時の両方で互いに協働するトリップ防止式ヒゲゼンマイが開示されている。この対策は効果的だが、トルクの回復は比較的急なままである。
【先行技術文献】
【特許文献】
【０００９】
【特許文献１】欧州特許第２４３４３５３Ａ１号
【発明の概要】
【発明が解決しようとする課題】
【００１０】
テンプの慣性をごくわずかだけ乱すものの、両回転方向へのテンプの角度移動範囲を制限し、トルクを徐々に回復させることによって安全性を向上させることが、本発明の目的である。
【課題を解決するための手段】
【００１１】
したがって、本発明は、時計用のトリップ防止式ヒゲゼンマイであって、第１の端部と第２の端部との間を巻いた少なくとも１つのストランドを備え、少なくとも２対の巻きであって、各々の対が互いにじかに隣接する第１の巻きおよび第２の巻きで形成される２対の巻きを備え、第１の巻きは停止手段、第２の巻きは補足的停止手段をそれぞれ備え、両手段は、５点型に互い違いに配置され、前記ヒゲゼンマイが収縮または伸張する際に所望の値を上回って加速する場合に、前記停止手段が前記補足的停止手段と当接して協働することによって前記第１の巻きおよび前記第２の巻きが局所的に接合する間、同手段が共に、各々の前記対に対して、それぞれの最大角度移動範囲を決定し、前記ヒゲゼンマイの有効な巻き数を制限する、ヒゲゼンマイにおいて、少なくとも２つの前記巻きの対において、前記それぞれの停止手段および補足的停止手段は、異なる最大角度移動範囲の値を決定するように配置されて、前記ヒゲゼンマイが前記所望を上回って角度をなしてまたは径方向に加速している間、前記ヒゲゼンマイの前記第１の端部と第２の端部との間の回転振幅を徐々に制限し、前記対の一方の前記停止手段および補足的停止手段がもう一方の対よりも先に当接して協働するようにし、これによって、いくつかの前記巻きを連続的に作動停止にするまたは作動再開させることによって、生じる前記ヒゲゼンマイの剛性を徐々に修正することを特徴とする、
ヒゲゼンマイに関する。
【００１２】
本発明は、少なくとも１つのこの種のヒゲゼンマイを備え、軸周りに回転するテンプを備え、このテンプに前記ヒゲゼンマイの前記第１の端部または第２の端部が固定される、時計用のゼンマイ式テンプであって、前記テンプの回転振幅が３６０°未満であることを特徴とする、ゼンマイ式テンプにも関する。
【００１３】
本発明は、少なくとも１つのこの種のゼンマイ式テンプ、および前記ヒゲゼンマイの端部の一方を留めるヒゲ持ちを担持するプレートを有する時計のムーブメントにも関する。
【００１４】
本発明は、少なくとも１つのこの種のムーブメント、および／または少なくとも１つのこの種のゼンマイ式テンプを有する時計にも関する。
【００１５】
本発明のその他の特徴および利点は、添付の図面を参照して、以下の詳細説明を読むことで明らかになるであろう。
【図面の簡単な説明】
【００１６】
【図１】回転軸周りに振動し、ヒゲゼンマイの外端をヒゲ持ちに留め、テンプに固定されているコレットにヒゲゼンマイの底端を留めるように考案した、本発明によるトリップ防止式ヒゲゼンマイの概略図である。前記ヒゲゼンマイは、隣接する巻きにわたって５点型に互い違いに配置された停止部材を有し、この停止部材は、衝撃または過剰な振幅が起こった場合に互いに妨害し合い、隣接する巻きの２セットはこのように構成されるが、角度が最大である内側寄りの第１のセットと、角度がこれよりも小さい外側寄りの第２のセットとの間で制限される角度は異なる。
【図２】ヒゲゼンマイの回転角によるトルクを示すグラフである。
【図３】本発明によるヒゲゼンマイを備えるゼンマイ式テンプを有するムーブメントを備える時計、特に腕時計のブロック図である。
【発明を実施するための形態】
【００１７】
本発明は、時計機構の分野に関し、さらに詳細には、腕時計用の調節部材に関する。
【００１８】
ヒゲゼンマイ、特にゼンマイ式テンプ機構を備える、あらゆる振動機構またはエネルギー貯蔵機構の安全性を改善することが、本発明の目的である。
【００１９】
基本原理は、ある事態が発生し、正常動作とは異なる使用状態になった際に生じるゼンマイの剛性を、特に強い加速または衝撃が起きた場合に変更することである。
【００２０】
ヒゲゼンマイの剛性の修正に他の用途があってもよく、脱進機構のトリップ防止装置に係る本発明の好適な用途に関する本明細書は、何ら制限的なものではない。
【００２１】
腕時計の機構内にあるテンプの回転角を、特に振幅が３６０°を上回った場合に、特定の角度に制限することを、ゼンマイ式テンプに適用することが本発明の目的である。角度移動範囲の制限は、テンプの慣性を修正することなく両回転方向で達成される。前記装置は、ゼンマイ式テンプが正常に動いている間は一切の衝撃を起こさないため、ゼンマイ式テンプは、（トリップ防止装置に対する）角度移動範囲が正常である間は「自由」であると言われている。
【００２２】
提供する装置の原理は、ヒゲゼンマイの立体形状を一時的に修正することを利用するものである。テンプの回転によってヒゲゼンマイが伸張または収縮する間、巻きどうしの間には、相対的な角度のある動きおよび径方向の動きが起こる。２つの停止部材で形成した制限用停止部材、および移動ロックアームは、ヒゲゼンマイの２つの連続する巻きに設置される。特定の回転角が最大の場合、停止部材は、２巻き間の相対的な角度移動範囲を制限するように巻きに設置される。停止部材が回転方向に応じてロックアームの移動をロックすると、ヒゲゼンマイは有効な巻きを喪失し、これによってヒゲゼンマイの剛性を修正する。このように、この停止装置は、２巻き間の相対的な角度のある動きを利用するものである。
【００２３】
停止部材とロックアームとの間の距離は、非対称であってよい。
【００２４】
このように、本発明による装置は、ヒゲゼンマイの回転角、および巻きの動きに応じて、有効な巻き数を制限する。そのため、ヒゲゼンマイの剛性は、回転角に応じて、この停止部材装置を少なくとも１対の巻きに追加し、最大で全巻きに追加する結果、一時的に修正できる。そのため、回転振幅に応じた剛性は、ヒゲゼンマイに配設される停止部材装置の配設および数によって定義することができる。本発明は、ヒゲゼンマイに生じる剛性を徐々に修正することによって、回転角を徐々に制限しようとするものである。
【００２５】
本発明によれば、複数対の巻きは、このように適応される。ヒゲゼンマイは、隣接する巻きに５点型に互い違いになる構成で配設される停止部材を有し、この停止部材は、衝撃または過剰な振幅が起こった場合に互いに妨害し合い、少なくとも２対の隣接する巻きはこのように構成されるが、角度がより大きい内側寄りの第１のセットと、角度がより小さい外側寄りの第２のセットとの間で制限される角度は異なる。
【００２６】
有利だが非制限的な実施形態では、ヒゲゼンマイの重心が確実に均衡を保つようにする。停止部材の立体形状、配設、位置および数は、詳細な設計を必要とし、本明細書は、単に原理を要約しているだけである。
【００２７】
この種のヒゲゼンマイの製造は、平坦度の高い自由な設計が可能であるマイクロ製造方法を利用するものである。シリコン技術を利用してこの種のヒゲゼンマイを作製することができる。本発明は、この技術に制限されず、「ＬＩＧＡ」方法および現在時計の構成部品、特に脱進機構に使用されているその他のマイクロ製造方法を使用してもよい。
【００２８】
このように、本発明は、特に、第１の端部３と第２の端部４との間を巻いた少なくとも１つのストランド２を備える、時計のトリップ防止式ヒゲゼンマイ１に関する。このヒゲゼンマイ１は、少なくとも２対の巻き５０を有する。各々の対５０は、互いにじかに隣接する第１の巻き５１および第２の巻き５２で形成され、第1の巻きは停止手段１１、第2の巻きは補足的停止手段１２をそれぞれ備え、両停止手段は、５点型に互い違いに配置される。
【００２９】
各々の対５０に対し、停止手段１１および補足的停止手段１２が共に、それぞれの特定の最大角度移動範囲ＣＡを決定することがわかる。
【００３０】
停止手段１１および補足的停止手段１２は共に、両手段が属する対５０に対し、第１の巻き５１および第２の巻き５２が局所的に接合している間の最大角度移動範囲ＣＡを決定する。この局所的な接合は、ヒゲゼンマイ１が収縮または伸張する際に所望の値を上回って加速している間、またはヒゲゼンマイ１が回転している間の振幅が過剰であるときに、停止手段１１が補足的停止手段１２と当接して協働することで起こり、これによってヒゲゼンマイ１の有効な巻き数を制限する。
【００３１】
本発明によれば、これらの巻きの対５０のうちの少なくとも２対において、停止手段１１および補足的停止手段１２はそれぞれ、異なる最大角度移動範囲の値ＣＡを決定するように構成されて、ヒゲゼンマイ１が前記所望の値を上回って角度をなしてまたは径方向に加速している間、ヒゲゼンマイ１の第１の端部３と第２の端部４との間の回転振幅を徐々に制限し、対５０のうちの一方の前記停止手段１１および補足的停止手段１２がもう一方の対よりも先に当接して協働するようにし、これによって、いくつかの巻き５を連続的に作動停止にするまたは作動再開させることによって、生じるヒゲゼンマイ１の剛性を徐々に修正する。
【００３２】
図２の曲線は、回転角に応じたトルクの変化を示す。停止時および接合時の構成に相当する各点では、傾斜が中断していることがわかり、これについては以下に説明する。
【００３３】
図１および図３に示した好適かつ非限定的な変形例では、各々の対５０において、対５０の２巻きのうちの一方に位置する停止手段１１は、２つの制限用停止部材１３、１４を備え、この部材の軌道は、同じ対５０の２巻きのうちのもう一方に位置して補足的停止手段１２に備わる少なくとも１つの補足的制限用停止部材１５と妨害し合う。端部の停止位置でのこの妨害は、第１の巻き５１の第２の巻き５２に対する角度移動範囲ＣＡを制限する間隔を決定する。この制限によって、ヒゲゼンマイ１の有効な巻き数を一時的に制限することができ、このとき前記少なくとも１つの補足的制限用停止部材１５は、この２つの制限用停止部材１３、１４のうちの１つと当接している。
【００３４】
特定の変形例では、図１に見られるように、同じ対５０のうち２つの対面する巻きに構成される制限用停止部材に加えて、１つの巻き、例えば第１の巻き５１、または第２の巻き５２はそれぞれ、第１の巻き５１の第２の巻き５２に対する径方向の動きを制限する少なくとも１つの径方向停止部材６を備える。この特定の接合は、巻きどうしの間の相対的な径方向の動きに基づくものである。しかしながら、この接合は、ヒゲゼンマイの収縮に限定され、よってテンプの単一の回転方向に限定される。
【００３５】
これと同じ特定の変形例では、有利には、少なくとも１つの径方向停止部材６は、摩擦面６１を有し、この摩擦面は、第２の巻き５２または第１の巻き５１それぞれに備わる補足的摩擦面６２と協働するように構成される。
【００３６】
対５０の制限用停止部材および径方向停止部材６を組み合わせるさらにもう１つの変形例では、この少なくとも１つの径方向停止部材６を有するのは、停止手段１１または補足的停止手段１２である。
【００３７】
本発明は、少なくとも１つのこの種のヒゲゼンマイ１を備え、軸Ｄ周りに回転するテンプを有し、このテンプにヒゲゼンマイ１の第１の端部３または第２の端部４を固定するテンプ７を備える、時計ゼンマイ式テンプ１０も有する。このテンプ７の回転振幅は、３６０°未満であることが好ましい。
【００３８】
本発明は、この種のゼンマイ式テンプ１０およびヒゲゼンマイ１の端部３、４の一方を留めるヒゲ持ち９を担持するプレート８を備える、時計のムーブメント２０にも関する。
【００３９】
本発明は、少なくとも１つのこのようなムーブメント２０、および／または少なくとも１つのこのようなゼンマイ式テンプ１０を組み入れた時計３０にも関する。
【００４０】
本装置は、テンプの移動を両方向で制限するという利点を有する。この制限は、ヒゲゼンマイの剛性を修正することによって達成される。この剛性の修正は、ヒゲゼンマイに組み入れた停止面の数および配設を選択することを通して適応させてよい。
【００４１】
ゼンマイ式テンプ装置の慣性は、ヒゲゼンマイの慣性を修正することによってのみ修正される。本トリップ防止装置は、ゼンマイ式テンプの正常の振動を妨害するものではなく、回転振幅が超過したときに、ゼンマイ式テンプの動作に作用するだけである。
【図１】
0005503788.tif 000002
【図２】
0005503788.tif 000003
【図３】
0005503788.tif 000004